(57)【特許請求の範囲】
【請求項１】
水槽を中央として、一方にホース設置部、他方に水洗後のホース巻取部を設けた消防ホースの水洗装置において、
水槽の出入口に設けた案内ロールと、
複数のブラシを有し、傾斜して中央谷部に至る逆三角形の洗浄部と、
前記ホース設置部から引き出されるようにした一重巻きのホースと、
前記ホース巻取部にホース端部の金具を挟持する固定部と、
前記水槽の洗浄部と対向して固定され、水槽のブラシと対向した複数のブラシを有すると共に下端にロールを軸支した逆三角枠のホース装填具とから成り、
前記ホース設置部からホース端部の金具を持って引き出し、ホース巻取部で固定し、水槽の出入口間に架橋した状態のホースを、前記ホース装填具により水槽内へ押し込んで装填したことを特徴とする消防ホースの水洗装置。
【請求項２】
逆三角形ホース装填具として、ホース幅に合わせた間隔の枠で中央の下端部にロールを軸支し、逆三角形の斜面部に複数のブラシを取付け、水槽内の逆三角形の洗浄部に対向して取り付け固定できるようにした請求項１記載の消防ホースの水洗装置。
【請求項３】
ホース端部の金具を挟持する固定部として、軸支した２つの平板とこの平板の軸部周縁に２つの差込孔を設け、この差込孔へ差栓を挿入してホース端部の金具を挟むようにして固定したことを特徴とする請求項１記載の消防ホースの水洗装置。
【発明の詳細な説明】
【０００１】
【発明の属する技術分野】
本発明は消防活動終了後のホースの水洗装置に関する。
【０００２】
【従来の技術】
従来から、消火活動後のホースの洗浄には、２０ｍもあるホースを地面に延ばして水を掛けながらブラシで擦過して汚れを落とすのが普通であった。しかし、このような作業の改善を図ってホースを移動する機構を設け、ホースの両面にブラシをかけて洗浄するホースの水洗装置が考え出され、多くの技術が開示されている。
【０００３】
例えば、（１）特開昭５１−１３６３９９号公報では、「汚れたホースを丸めたものを外側から解いて、ホースの両側からブラシ洗いした後、巻枠に巻き取らせる」構成が開示されている。
【０００４】
また（２）特開平９−２７６４３４号公報では、「ホース洗浄装置」として、ホースの搬送手段を設け、洗浄液を本体外の貯留槽から吸引し、洗浄ノズルからホースに圧送して汚れを除去するものであり、ホースの接続金具を避けるための手段が開示されている。
【０００５】
さらに（３）特開平１１−２２６１４３号公報では、「消防ホース洗浄装置」として、消防ホースの両側面を回転ブラシで挟圧しながら洗浄するようにし、ブラシの回転中心部でホースにこびりついた汚れを落とす手段を開示している。
【０００６】
【発明が解決しようとする課題】
しかし、上記従来例の内、（１）は水洗装置の基本構造を示しているものの、丸めたホースは槽型の支持部材に当初からセットされ、端部をほぐして巻枠へ引き上げられる間にブラシで汚れを落とす構成である。従って、ホースをブラシ間にセットして巻枠へ固定する手段が面倒であり、ブラシ一つで回転するので十分な洗浄効果が期待できない点があった。
【０００７】
また（２）では、ホースの表面に洗浄液を圧送して汚れを落とす構成としては新規であるが、全体としてのホース設定手段が明らかではない。
【０００８】
さらに（３）の公知例では、回転ブラシの回転力を最大限に利用しようとする手段を示しているが、これは洗浄装置としての機械的構成と汚れを除去するという物理的手段を示したものである。
【０００９】
上記何れの公知例でも、ホースを簡単にセットして水槽に案内し、水槽内で逆三角枠のホース装填具に沿わせて移動する間に水洗しようとする手段は開示されておらず、水槽内に設けた略く字形の洗浄部をホースが通って複数のブラシで十分に汚れを落とす手段及びホースと共に前記ホース装填具の設定を容易確実にした手段について開示される点が見当たらない。
【００１０】
本発明の目的は、複雑な水洗装置ではなく、市販のブラシや木板を使用して簡単に組立でき、ホースのセットが容易で、保管、搬送がし易く水洗用の水を節約できる節水型の水洗装置であり、手動又は駆動によりホース表面の汚れを確実に除去できるようにした実用的なホース水洗装置を提供するものである。
【００１１】
【課題を解決するための手段】
上記目的を達成するため、第１発明では、水槽を中央として、一方にホース設置部、他方に水洗後のホース巻取部を設けた消防ホースの水洗装置において、水槽の出入口に設けた案内ロールと、複数のブラシを有し、傾斜して中央谷部に至る逆三角形の洗浄部と、前記ホース設置部から引き出されるようにした一重巻きのホースと、前記ホース巻取部にホース端部の金具を挟持する固定部と、前記水槽の洗浄部と対向して固定され、水槽のブラシと対向した複数のブラシを有すると共に下端にロールを軸支した逆三角枠のホース装填具とから成り、前記ホース設置部からホース端部の金具を持って引き出し、ホース巻取部で固定し、水槽の出入口間に架橋した状態のホースを、前記ホース装填具により水槽内へ押し込んで装填した消防ホースの水洗装置である。
【００１２】
第２発明は、逆三角枠のホース装填具として、ホース幅に合わせた間隔の枠で中央の下端部にロールを軸支し、逆三角枠の斜面部に複数のブラシを取り付け、水槽内の洗浄部に対向して取り付け固定できるようにした。
【００１３】
第３発明では、ホース端部の金具を挟持する固定部として、軸支した２つの平板とこの平板の軸部周縁に２つの差込孔を設け、この差込孔へ差栓を挿入してホース端部の金具を挟むよう固定した。
【００１４】
（作用）
第１発明では、水槽を中央として、一方にホース設置部、他方に水洗後のホース巻取部を設けた。従ってホースは、一方から他方へ巻き取られる間に水槽内でブラシが表面を擦過して汚れを十分に落とせるようになっている。
【００１５】
消火活動後、水を抜いたあとのホースは平たくなっており、この幅のホースをセットして移動するに十分な幅がある矩形の箱型洗浄装置とすることができ、ホースの全長を凡そ２０ｍ以上として、略く字形の洗浄部を有する水槽、ホース設置部、ホース巻取部を合わせて、水洗装置はコンパクトである。
【００１６】
本発明では、ホース設置部からホース端部を持って案内ロールに載せて引き出し、ホース巻取部で固定し、水槽の出入口間に架橋した状態とする。次いで、三角枠体のホース装填具によりホースの架橋部を水槽内に押し込むことにより、ホースは中央谷部に至る逆三角形の洗浄部に沿い略く字形となって水槽に装填される。セット後はホース巻取部を回転すればよく、ホース設置部から順次引き出される。
【００１７】
ホース設置部からホースを引き出すため、一重巻のホースを載置した搬送車を設置することができ、この車は出入可能としておけば便利である。
【００１８】
水槽は給排水手段により適宜オーバーフローさせたり、汚濁水を底部から排水するようにして調節できるのは勿論であり、節水型の水洗装置となっている。
【００１９】
第２発明では、逆三角枠のホース装填具として、ホース幅に合わせた間隔の枠で中央の下端部にロールを軸支しているので、ホースが案内ロール間に架橋されているとき、このロールを下にしてホースを押し込むことにより洗浄部に簡単にセットできる。また逆三角枠の斜面部に複数のブラシを取り付けているので、ホースは逆三角形の斜面に沿って移動し、ブラシによって汚れを落とす。
【００２０】
逆三角枠のホース装填具を水槽内に固定したとき、丁度水槽内のブラシと対向した位置にホース装填具のブラシがくるようにすれば、ホースは上下面を挟持された状態でブラシングされ、汚れの除去作業が敏速且つスムーズに行われる。
【００２１】
第３発明では、ホース端部の金具を挟持する固定部として、それぞれ軸支された２つの平板とこの平板の軸部周縁に２つの差込孔を設けているので、平板間に持ってきたホース端部の金具を差栓で挟むよう挿入することにより、容易にセットが完了する。
【００２２】
金具の口部の方向はホースが引き出され易く且つ巻き取りを円滑に行えるよう水槽に向くようにするのが望ましい。
【００２３】
【発明の実施の形態】
本発明では水槽を中央として、一方にホース設置部、他方に水洗後のホース巻取部を設けた。ホースは、例えば一重巻として搬送車に載せられてホース設置部に配置しておけばよい。
【００２４】
ホースがホース設置部から引き出されると、水槽の出入口の案内ロール間に架橋されたようになり、端部の金具はホース巻取部に固定される。
【００２５】
この状態でホースの中間へホース幅より若干広幅の逆三角枠のホース装填具を用いて水槽の洗浄部へホースを押し込めば水洗装置が完成する。
【００２６】
ホース端部の金具の固定は、金具の口が水槽向きになるよう２つの案内板間にセットし、軸部周縁に設けた差込孔から差栓を差し込んで、丁度金具の上下を挟むようにして固定される。
【００２７】
ホースの端部が固定されると、外部の把手をもって回せば（図示では左回転）、ホースは巻き取られ、逆三角形の洗浄部を移動してゆき、その間にブラシが表面を擦過して汚れを十分に落とせるようになっている。ブラシの取り付け方向は三角形の傾斜に沿った傾斜と共に幅方向にも傾斜しておけば擦過作用が十分にできる。
【００２８】
水槽の水は給排水手段により適宜調節され、汚れれば排出されるので、従来のように地上で水を流しながら洗浄する場合と比較して大きく節水ができ、節水型洗浄装置となっている。
【００２９】
全体は木製でもよく、長さ３ｍ、水槽が１．１２ｍ、深さ５０ｃｍ、幅３６ｃｍ程度の箱型に製造でき、約２０ｍ以上のホースが把手の回転により逆三角形の洗浄部を極めて敏速に移動し水洗できるようになっている。
【００３０】
なお本発明は以下に述べる実施例に限定されるものではなく、水槽の大きさや巻き取りの駆動源等に変化をもたせてもよい。ブラシ等は市販のもの或いは通常使っているものの再利用もでき、水槽内に設けた逆三角形の傾斜谷部に取り付けられればよい。
【００３１】
【実施例】
以下、図面に示した実施例につき説明する。図１は全体の構成を示すもので、１は本発明の水洗装置で、凡そ矩形の箱型をしている。２は水槽、３はホース設置部で、水槽の一方に設けられ、例えば一重巻のホースがここへ置かれる。４はホース巻取部で水槽の他方端に設けられ、水洗後のホースを巻き取る。
【００３２】
５は水槽の出入口に設けた案内ロール、６は水槽内に設けた逆三角形の洗浄部で、中央谷部に至る傾斜部に複数のブラシ７を有している。
【００３３】
８は逆三角枠のホース装填具で、前記水槽２の逆三角形の洗浄部と対向し、複数のブラシ９を有し、下方端に回転自在に軸支されたロール１０を備えている（図４参照）。このホース装填具８は、ホース幅に合わせた間隔の枠で、水槽の洗浄部６に丁度合致して着脱自在になっている（図１、図２参照）。またホースの移動時に洗浄部から脱落しないようにしている。
【００３４】
複数のブラシ７及び９は、それぞれ逆三角形の斜面に沿って傾斜していると共に幅方向にも傾斜して、ホースへの接触を十分にしている。
【００３５】
１１は一重巻のホースであり、端部にはオス型とメス型の金具１２がある。消火の現場では約２０ｍの長さで、順次接続できるようになっている。
【００３６】
ホース巻取部４にホース端部の金具１２を取り付けるため、ホースを両側から保護する２つの平板１３と、この平板１３の軸部周縁に設けた差込孔１４と、この差込孔に挿入される差栓１５とからなる固定部１６を設けた（図５、図６、図７参照）。２つの平板１３はそれぞれ片持ち支持のように軸支されているので、ホースの金具はこの平板間に簡単にセットできる。
【００３７】
ホース設置部３は、ホースが設置し易く、例えば下方端に２つのロール１７を備えた搬送車１８を備えるとよい。  搬送車１８はホース設置部３に出入り可能になっている（図３、図８参照）。  搬送車の上に一重巻きされたホースを載置し、端部の金具を案内ロール５に載せて引き出すと、搬送車１８の下方にある２つのロール１７が、ホースの回転に合わせて回動して引き出し易くなっている。
【００３８】
ホース設置部は、このような搬送車を設ける場合に限定するものではなく、案内ロール５にホースの一旦を掛けて水槽に送り込める構成であればよい。
【００３９】
なお図３に示した１９は係止桟で、逆三角枠のホース装填具８を水槽２へ装填した後、安定して固定する為の保護用である。２０はホース巻取部４の平板１３を回動する為の把手である。なおこの把手２０に代えて駆動部を取り付けることもできる。さらに、把手は軸部で着脱自在にすることができ、取り外せば、搬送や保管時に邪魔になることがない。
【００４０】
なお、水洗が完了すれば、逆三角枠のホース装填具の固定を外して、水槽からホース装填具を上方へ引き上げ、ホースが自由になった状態で全体をホース巻取部へ引き寄せて一重巻きを維持しつつ、前記差栓を２つの平板から引き抜き、  丸巻きのホースとして取り出せるようにした。
次のホースを洗浄するには、再度、ホース設定部に一重巻きのホースを置き、金具をもって引き出し、上記の要領で、繰り返し水洗作業が行われる。
【００４１】
ホース設定部に出し入れ自由にした搬送車を利用すれば、ホースは一重巻きのまま乾燥に廻すこともでき、また事情によれば再度の水洗も容易となる。
【００４２】
【発明の効果】
本発明では、複雑な水洗装置ではなく、市販のブラシや木板を使用して簡単に組立製造でき、コンパクトであるので保管、搬送が容易であり、水洗用の水を節約できる節水型の水洗装置となっている。ホースを水槽内へセットするのが極めて容易であり、セット後は手動や駆動によりホース表面の汚れを確実に除去できる実用的なホース水洗装置を提供することができた。
【図面の簡単な説明】
【図１】水洗装置の全体を説明する側面図で一部を断面とした図
【図２】中央部の逆三角枠のホース装填具を分離した状態で示す説明図
【図３】水洗装置の全体を示す平面図
【図４】逆三角枠のホース装填具を取り付けた状態を示す説明図
【図５】差栓の平面図
【図６】把手部の側面図
【図７】ホースの金具の固定部説明図
【図８】ホース設置部の説明図
【符号の説明】
１：  水洗装置
２：  水槽
３：  ホース設置部
４：  ホース巻取部
５：  案内ロール
６：  洗浄部
７：  ブラシ
８：  ホース装填具
９：  ブラシ
１０：  ロール
１１：  ホース
１２：  金具
１３：  平板
１４：  差込孔
１５：  差栓
１６：  固定部
【図１】
0003598077.tif 000002
【図２】
0003598077.tif 000003
【図３】
0003598077.tif 000004
【図４】
0003598077.tif 000005
【図５】
0003598077.tif 000006
【図６】
0003598077.tif 000007
【図７】
0003598077.tif 000008
【図８】
0003598077.tif 000009